(57)【要約】【課題】  陳列装置の係合部材を安価に製造することができるようにする。【解決手段】本体部３と係合部４とからなる係合部材２において、本体部３と係合部４とを別体に形成する。本体部３には、ねじ挿通孔３ｃを形成する。係合部４には、ねじ孔４ａを形成する。ねじ挿通孔３ｃを貫通してねじ孔４ａに螺合されたねじ部材６を締め付けることにより、係合部４を本体部３に着脱可能に取り付ける。【選択図】図１
2006174983.tif 000002
【特許請求の範囲】
【請求項１】
上下方向に所定の長さを有する本体部と、この本体部に設けられ、垂直な壁面に取り付けられる基材の前面部に係脱可能に係合する係合部とを備えた陳列装置用係合部材において、
上記係合部が上記本体部と別体に形成され、上記係合部が上記本体部に着脱可能に取り付けられていることを特徴とする陳列装置用係合部材。
【請求項２】
上下方向に所定の長さを有する本体部と、この本体部に上下方向へ互いに離間して設けられ、垂直な壁面に取り付けられる基材の前面部に係脱可能に係合する二つの係合部とを備えた陳列装置用係合部材において、
上記二つの係合部の少なくとも一方が上記本体部と別体に形成され、当該一方の係合部が上記本体部に着脱可能に取り付けられていることを特徴とする陳列装置用係合部材。
【請求項３】
上記本体部には、上記本体部が取り付けられた上記係合部を上記基材から取り外すときに上記基材に当接することにより、上記係合部が上記基材から外れるのを阻止する当接部が設けられていることを特徴とする請求項１又は２に記載の陳列装置用係合部材。
【発明の詳細な説明】
【技術分野】
【０００１】
この発明は、衣類等の各種の商品、その他を陳列するための陳列装置に用いられる係合部材に関する。
【背景技術】
【０００２】
一般に、陳列装置は、垂直な壁面に固定されるパネル（基材）と、このパネルの前面に着脱可能に取り付けられる係合部材とを有している。パネルの前面には、多数の係止部が上下に所定の間隔をもって形成されている。一方、係合部材は、本体部と、この本体部に設けられた係合部とを有している。係合部は、パネルに設けられた係止部のいずれかに係脱可能に係合させられる。これによって、係合部材がパネルに対して所望の位置に着脱可能に取り付けられる（特許文献１〜３参照）。
【０００３】
【特許文献１】実開昭６０−９７０６４号公報
【特許文献２】特開平８−２５５５７３号公報
【特許文献３】特開２００４−２３００８４号公報
【発明の開示】
【発明が解決しようとする課題】
【０００４】
係合部材の本体部は、係合部材の用途に応じて各種の長さのものがある。したがって、係合部材は、長さの異なる各本体部に対応した種類の数だけ製造しなければならず、製造費が嵩むという問題があった。
【課題を解決するための手段】
【０００５】
上記の問題を解決するために、この発明の第１の態様は、上下方向に所定の長さを有する本体部と、この本体部に設けられ、垂直な壁面に取り付けられる基材の前面部に係脱可能に係合する係合部とを備えた陳列装置用係合部材において、上記係合部が上記本体部と別体に形成され、上記係合部が上記本体部に着脱可能に取り付けられていることを特徴としている。
上記の問題を解決するために、この発明の第２の態様は、上下方向に所定の長さを有する本体部と、この本体部に上下方向へ互いに離間して設けられ、垂直な壁面に取り付けられる基材の前面部に係脱可能に係合する二つの係合部とを備えた陳列装置用係合部材において、上記二つの係合部の少なくとも一方が上記本体部と別体に形成され、当該一方の係合部が上記本体部に着脱可能に取り付けられていることを特徴としている。
上記本体部には、上記本体部が取り付けられた上記係合部を上記基材から取り外すときに上記基材に当接することにより、上記係合部が上記基材から外れるのを阻止する当接部が設けられていることが望ましい。
【発明の効果】
【０００６】
上記特徴構成を有するこの発明において、本体部の長さが異なる各係合部材を製造する場合には、長さが異なる本体部を製造し、各本体部に係合部をそれぞれ取り付けるだけでよい。つまり、本体部については、係合部材の用途等に応じて、長さの異なる本体部をそれぞれ製造する必要があるが、係合部については、長さが異なる本体部の数に合わせて係合部をそれぞれ製造する必要がなく、一種類のものを製造すればよい。したがって、係合部材の製造費を低減することができる。
【発明を実施するための最良の形態】
【０００７】
以下、この発明を実施するための最良の形態を、図面を参照して説明する。
図１及び図２は、この発明の第１実施の形態を示す。この実施の形態に係る陳列装置Ａは、パネル（基材）１と係合部材２とを備えている。
【０００８】
パネル１は、アルミニウムの型材によって構成されている。勿論、パネル１は、他の材料、例えばポリエチレン等の合成樹脂製の板材若しくは中空板材、あるいは木製の化粧板等によって構成してもよい。パネル１の背面（図１において右面）１ａは、垂直な壁面（図示せず）に固定されている。パネル１の前面１ｂには、左右方向へ水平に延びる多数の係止部１ｃが形成されている。各係止部１ｃは、上下方向へ一定の間隔毎に配置されている。係止部１ｃは、その先端部が下方に向かって略半円状に湾曲させられている。この結果、パネル１の前面１ｂと係止部１ｃとの間に、前面１ｂ側の端部が下方に向かって開放された係止凹部１ｄが形成されている。
【０００９】
係合部材２は、本体部３及び係合部４を有している。本体部３は、アルミニウム、合成樹脂又は木材等によって平板状に形成されている。本体部３の左右方向及び上下方向の長さは、係合部材２の用途によって適宜の長さに決定されている。本体部３の前面３ａには、支持部材５が設けられている。この支持部材５は、その用途に応じて適宜の形状に形成される。例えば、支持部材５にハンガー（図示せず）が吊り下げられたり、支持部材５が水平な棚板の一端部を支持したりする場合には棒状に形成され、支持部材５自体が棚板であるときには左右方向に延びる平板として形成される。なお、支持部材５は、後述するいずれの実施の形態においても本体部３の前面３ａに設けられているが、図５に示す実施の形態以外は図示が省略されている。本体部３の上端部には、その前面３ａから背面３ｂまで貫通するねじ挿通孔３ｃが形成されている。
【００１０】
係合部４は、アルミニウム、合成樹脂又は木材等によって断面略長方形状に形成されている。通常、係合部４の材質は、本体部３と同一の材質が選択される。係合部４の左右方向の長さは、本体部３の左右方向の長さとほぼ同一に設定され、上下方向の長さは本体部３の上下方向の長さより大幅に短く設定されている。前後方向の長さは、係合部材２をパネル１に取り付けたときに、本体部３の背面３ｂと係止部１ｃの前端との間に若干の隙間が形成されるように、その長さが設定されている。勿論、これらの長さは適宜に変更可能である。係合部４には、その前面から背面まで貫通するねじ孔４ａが形成されている。このねじ孔４ａには、ねじ挿通孔３ｃを貫通したねじ部材６が螺合されており、このねじ部材６を締め付けることにより、係合部４が本体部３の背面３ｂに着脱可能に押圧固定されている。係合部４の上面の背面側の端部には、係合爪部４ｂが形成されている。この係合爪部４ｂは、係止凹部１ｄの下端開放部からその内部に入り込んで、係止部１ｃに係脱可能に係合する。係合爪部４ｂが係止部１ｃに係合することにより、係合部材２がパネル１に着脱可能に取り付けられている。係止爪部４ｂと係止部１ｃとの係合構造は、周知であるのでその詳細な説明は省略する。勿論、係止爪部４ｂと係止部１ｃとの係合構造については、図示の係合構造以外の周知構造を採用してもよい。
【００１１】
係止爪部４ｂを係止部１ｃに係合させる場合には、図２に示すように、本体部３を下方へ向かうにしたがってパネル１から離間するように適宜傾斜させる。その後、図２の矢印Ａ方向へ移動させ、係止爪部４ｂの上端部を係止凹部１ｄの内部にその下側の開放部から挿入する。次に、係合部４の背面がパネル１の前面１ｂに突き当たるまで本体部３をパネル１に接近するように回動させることにより、係止爪部４ｂを係止部１ｃに係合させることができる。これと逆の手順を行うことにより、係止爪部４ｂを係止部１ｃから取り外すことができる。なお、係止爪部４ｂを係止部１ｃに係合させるに際しては、必ずしも係合部４を本体部３に取り付けておく必要はなく、係合部４を本体部３から取り外しておいてもよい。そのようにする場合には、係止爪部４ｂを上記のようにして係止部１ｃに係合させて、係合部４だけをパネル１に取り付けた後、係合部４に本体部３を固定する。
【００１２】
上記構成の陳列装置Ａの係合部材２を製造する場合には、上下の長さが異なる各種の本体部３が必要であったとしても、係合部４は本体部３の種類に合わせて多数の種類を製造する必要がなく、一つの係合部４を製造するだけでよい。例えば、この発明の第２実施の形態である図３に示す陳列装置Ｂにおいては、係合部材２に代えて係合部材２Ｂが用いられているが、係合部材２Ｂは、その本体部３Ｂの長さが上記本体部３より長い点だけが係合部材２と異なっており、その他の構成は係合部材２と同一である。つまり、係合部材２Ｂにおいては、係合部材２と同一の係合部４が用いられている。したがって、係合部材２，２Ｂを製造する場合には、本体部３，３Ｂだけを製造すればよく、同一の係合部４を用いることができる。よって、その分だけ係合部材２，２Ｂの製造費を低減することができる。
【００１３】
図４は、この発明の第３実施の形態を示す。この実施の形態の陳列装置Ｃにおいては、係合部材２Ｃが用いられている。係合部材２Ｃは、本体部３Ｃ、係合部４及び一体係合部（係合部）７によって構成されている。
【００１４】
係合部４は、本体部３Ｃの背面３ｂの下端部にねじ部材６によって着脱可能に取り付けられている。一体係合部７は、係合部４のねじ孔４ａを有していない点及び本体部３Ｃの背面３ｂの上端部に本体部３Ｃと一体に形成されている点を除き、係合部４と同様に形成されている。したがって、一体係合部７は、係合部４の係合爪部４ｂに対応する係合爪部７ｂを有している。
【００１５】
上記構成の係合部材２Ｃをパネル１に取り付ける場合には、係合部４をパネル１の係止部１ｃに係合させるとともに、一体係合部７を係合部４が係合した係止部１ｃに対して本体部３Ｃの上下方向の長さ分だけ上方に離れた係止部１ｃに係合させる。ただし、係合部４及び一体係合部７を二つの係止部１ｃ，１ｃに同時に係合させることができない。そこで、係合部４を本体部３Ｃから予め取り外しておく。そして、係合部４を係止部１ｃに係合させるとともに、一体係合部７を係止部１ｃに係合させて、本体部３Ｃの背面３ｂを係合部４に突き当てる。その後、本体部３Ｃと係合部４とをねじ部材６によって固定する。このようにして係合部材２Ｃをパネル１に取り付けることができる。逆に、係合部材２Ｃをパネル１から取り外す場合には、まずねじ部材６を取り外して係合部４を本体部３Ｃから切り離す。その後、係合部４と一体係合部７を有する本体部３Ｃとをそれぞれ係止部１ｃから取り外す。
【００１６】
図５は、この発明の第４実施の形態を示す。この実施の形態の陳列装置Ｃ′は、上記陳列装置Ｃを変形したものであり、支持部材５に代えて支持部材５′が用いられている。支持部材５は、本体部３Ｃの前面３ａに着脱可能に固定された基部５ａと、この基部５ａの先端部に設けられたロッド５ｂとを有している。ロッド５ｂは、上下方向の中間部において略「く」字状に屈曲しており、下端部が基部５ａに上下方向を向く軸線を中心として回動可能に支持されている。したがって、ロッド５ｂの上端部は、ロッド５ｂを回動させることによってその位置を変えることができる。ロッド５ｂの上端部には、球体５ｃが固定されており、この球体に帽子等を引っ掛けるようになっている。
【００１７】
図６は、この発明の第５実施の形態を示す。この実施の形態の陳列装置Ｄにおいては、係合部材２Ｄが用いられている。係合部材２Ｄは、二つの係合部４，４を有している。一方の係合部４は、本体部３Ｄの背面３ｂの上端部に着脱可能に取り付けられている。他方の係合部４は、本体部３Ｄの背面３ｂの下端部に着脱可能に取り付けられている。このように構成された陳列装置Ｄにおいては、下側の係合部４を予め取り外しておくことにより、上記第３実施の形態の係合部材２Ｃと同様にして係合部材２Ｄをパネル１に取り付け、取り外すことができる。
【００１８】
図７は、この発明の第６実施の形態を示す。この実施の形態の陳列装置Ａ′は、上記第１実施の形態の陳列装置Ａを変形したものである。すなわち、陳列装置Ａの係合部材２においては、本体部３の上面が係合部４の上面と同一平面上に位置させられている（図３及び図６に示す実施例も同様）。これに対し、陳列装置Ａ′においては、係合部材２′の本体部３′の上端部には、係合部４から上方へ突出する当接部３ｄが形成されている。この当接部３ｄは、係合部材２′をパネル１から取り外すために本体部３′を図７において時計方向へ回動させたとき、本体部３′が所定角度以上回動して係合部４を係止部１ｃから外すことができるようになる前に、係止部１ｃの外面に突き当たり、それによって本体部３′が所定角度以上回動するのを阻止するように構成されている。したがって、この実施の形態では、係合部４を本体部３′に固定した状態では、係止部材２′をパネル１から取り外すことができない。勿論、係合部４を本体部３′に固定した状態では、係止部材２′をパネル１に取り付けることもできない。したがって、係合部材２′をパネル１に対して着脱する際には、係合部４を本体部３′から取り外すことになる。
【図面の簡単な説明】
【００１９】
【図１】この発明の第１実施の形態を示す縦断側面図である。
【図２】同実施の形態において、係合部材をパネルに取り付ける方法を説明するための縦断側面図である。
【図３】この発明の第２実施の形態を示す一部省略縦断側面図である。
【図４】この発明の第３実施の形態を示す縦断側面図である。
【図５】この発明の第４実施の形態を示す縦断側面図である。
【図６】この発明の第５実施の形態を示す縦断側面図である。
【図７】この発明の第６実施の形態を示す縦断側面図である。
【符号の説明】
【００２０】
Ａ，Ａ′，Ｂ，Ｃ，Ｃ′Ｄ  陳列装置
１  パネル（基材）
２，２′，２Ｂ，２Ｃ，２Ｄ  係合部材
３，３′，３Ｂ，３Ｃ，３Ｄ  本体部
３ｄ  当接部
４  係合部
７  一体係合部（係合部）
【図１】
2006174983.tif 000003
【図２】
2006174983.tif 000004
【図３】
2006174983.tif 000005
【図４】
2006174983.tif 000006
【図５】
2006174983.tif 000007
【図６】
2006174983.tif 000008
【図７】
2006174983.tif 000009